(57)【要約】【課題】物品に添付された検知材の種類に応じて検知材の色を物理情報に変換し、適切な物品管理を行う。【解決手段】ＩＣタグ１０１の内部に存在する記録領域から前記検知材種別情報を読み取り、読み取った検知材種別情報に応じて、色を物理情報へ変換する物理情報変換手段を選択する。次に、検知材の示す色を測定し、該検知材の示す色を前記選択された物理情報変換手段によって物理情報に変換する。そして、前記物理情報とＩＣタグアクセス手段２によって読み取られたＩＤ情報を関連付けてＩＤ物理データを形成し、物理データ管理手段６０１に対し該ＩＤ物理データを記録する。【選択図】図１
2008156098.tif 000002
【特許請求の範囲】
【請求項１】
物品を識別するＩＤ情報と該物品に応じた検知材の検知材種別情報を内部に存在する記録領域に記録するＩＣタグを有し、
前記ＩＣタグにアクセスするＩＣタグアクセス手段を備え、
前記ＩＣタグと検知材が添付された物品の物理変化を管理する物品管理システムであって、
前記ＩＣタグアクセス手段によってＩＤ情報を読み取る手段と、
前記ＩＣタグの内部に存在する記録領域から前記検知材種別情報を読み取る手段と、
前記読み取った検知材種別情報に応じて、色を物理情報へ変換する物理情報変換手段を選択する手段と、
前記検知材の示す色を測定する手段と、
前記測定された検知材の示す色を前記選択された物理情報変換手段によって物理情報に変換する手段と、
該物理情報と前記ＩＣタグアクセス手段によって読み取られたＩＤ情報を関連付けてＩＤ物理データを形成するＩＤ物理データ形成手段と、
前記ＩＣタグの外部に存在する物理データ管理手段に対し該ＩＤ物理データを記録するＩＤ物理データ記録手段と、
を備えることを特徴とする物品管理システム。
【請求項２】
請求項１に記載の物品管理システムにおいて、
前記ＩＤ物理データ形成手段が、
前記物理情報と前記ＩＤ情報と前記ＩＤ情報を読み取った場所の場所情報と前記ＩＤ情報を読み取った時刻の時刻情報とを関連付けたＩＤ物理データを形成する、
ことを特徴とする物品管理システム。
【請求項３】
請求項１に記載の物品管理システムにおいて、
前記ＩＤ物理データ形成手段が、
前記物理情報と、前記ＩＤ情報と、前記ＩＤ情報を読み取った場所の場所情報，前記ＩＤ情報を読み取った時刻の時刻情報のうちいずれかと、を関連付けたＩＤ物理データを形成する、
ことを特徴とする記載の物品管理システム。
【請求項４】
請求項１乃至３のいずれかに記載の物品管理システムにおいて、
前記検知材が、前記物品に対して定められた物理管理条件から逸脱した場合に、色の変化を示し、該色の変化が不可逆である、
ことを特徴とする物品管理システム。
【請求項５】
請求項１乃至４のいずれかに記載の物品管理システムにおいて、
前記ＩＣタグと前記検知材とが一体に形成されている、
ことを特徴とする物品管理システム。
【請求項６】
物品を識別するＩＤ情報と該物品に応じた検知材の検知材種別情報を内部に存在する記録領域に記録するＩＣタグを有し、
前記ＩＣタグの内部の情報にアクセスするＩＣタグアクセス手段と、
前記検知材の示す色を測定する測定手段と、
測定された色を物理情報へ変換する物理情報変換手段と、
前記ＩＣタグの外部に存在し、情報を格納し管理する物理データ管理手段と、
を備え、
前記ＩＣタグと検知材が添付された物品の物理変化を管理するシステムに適用する物品管理方法であって、
前記ＩＣタグアクセス手段によってＩＤ情報を読み取るステップと、
前記ＩＣタグの内部に存在する記録領域から前記検知材種別情報を、前記ＩＣタグアクセス手段を用いて読み取るステップと、
前記読み取った検知材種別情報に応じて、前記物理情報変換手段を選択するステップと、
前記検知材の示す色を前記測定手段を用いて測定するステップと、
前記測定された検知材の示す色を前記選択された物理情報変換手段によって物理情報に変換するステップと、
該物理情報と前記ＩＣタグアクセス手段によって読み取られたＩＤ情報を関連付けてＩＤ物理データを形成するＩＤ物理データ形成ステップと、
前記物理データ管理手段に対し該ＩＤ物理データを記録するＩＤ物理データ記録ステップと、
を有することを特徴とする物品管理方法。
【請求項７】
請求項６に記載の物品管理方法において、
前記ＩＤ情報を読み取った際の時刻情報を予め備えられた時刻取得手段から取得するステップと、
前記ＩＤ情報を読み取った際の場所情報を予め備えられた場所取得手段から取得するステップと、
を有し、
前記ＩＤ物理データ形成ステップが、
前記物理情報と前記ＩＤ情報と前記場所情報と前記時刻情報とを関連付けたＩＤ物理データを形成する、
ことを特徴とする物品管理方法。
【請求項８】
請求項６に記載の物品管理方法において、
前記ＩＤ情報を読み取った際の時刻情報を予め備えられた時刻取得手段から取得するステップと、
前記ＩＤ情報を読み取った際の場所情報を予め備えられた場所取得手段から取得するステップと、
を有し、
前記ＩＤ物理データ形成ステップが、
前記物理情報と、前記ＩＤ情報と、前記場所情報，時刻情報のうちいずれかと、を関連付けたＩＤ物理データを形成する、
ことを特徴とする記載の物品管理方法。
【請求項９】
請求項６乃至８のいずれかに記載の物品管理方法において、
前記検知材に、前記物品に対して定められた物理管理条件から逸脱した場合に、色の変化を示し、該色の変化が不可逆である検知材を採用する、
ことを特徴とする物品管理方法。
【請求項１０】
請求項６乃至９のいずれかに記載の物品管理方法において、
前記ＩＣタグと前記検知材とを一体に形成したタグを添付した物品を管理対象とする、ことを特徴とする物品管理方法。
【発明の詳細な説明】
【技術分野】
【０００１】
本発明は、ＩＣ（Ｉｎｔｅｇｒａｔｅｄ  Ｃｉｒｃｕｉｔ）タグを用いた物品管理システム及び物品管理方法に関するものである。
【背景技術】
【０００２】
近年、流通における上流から下流までの過程にわたって物品管理（例えば、サプライチェーンマネジメント）を行うシステムとして、ＩＣタグを用いた物品管理システムが、数々提案または実現されている。さらに、このような物品管理システムには、物品に関する温度管理を行うシステムも提案されている。温度管理システムの一例（例えば、特許文献１参照）を以下に説明する。
【０００３】
輸送される監視（あるいは管理）対象物は、対象物ＩＤ（Ｉｄｅｎｔｉｆｉｅｒ）情報を有する無線装置と共に輸送される。次に、その監視対象物に関する温度を含む輸送状態情報が、所定の測定手段によって測定される。その後に、輸送経路上にあって受信手段を有する情報収集装置に対して前記無線装置によって送信される。
【０００４】
前記無線装置は、具体的には、温度センサ等の輸送状態情報測定手段を搭載する無線アクティブタグにより実現される。このようなセンサ搭載アクティブタグは、自ら電波を発する無線装置であるために電池を搭載し、かつ、輸送状態情報を無線送信する前に自らに該輸送状態情報を随時記録しておく追記可能な電子的な記録媒体を搭載するものである。それ故、センサ搭載アクティブタグは、一般に高価であり、かつ、ある程度の物理的大きさを有する。
【０００５】
以上のように、センサ搭載アクティブタグを使用して監視を行う条件は、次の通りである。まず、監視対象物である物品自体が、センサ搭載アクティブタグを付すに足るほどの価値があり、かつ、大きさが十分であること。あるいは、監視対象物の集合体（例えば、監視対象物が多数収められた箱単位，輸送パレット単位，輸送コンテナ単位）がセンサ搭載アクティブタグを付すほどの価値があり、かつ、大きさが十分であること。
【０００６】
また、センサ搭載アクティブタグは電池を搭載するため、ある時点で、電池交換しなければならないという問題があった。さらに、センサ搭載アクティブタグは一般に高価であるために、輸送過程の最終段階で回収して使いまわす手立てを講じる必要があった。
【特許文献１】特願２００６−７６６８７号公報（段落［００２４］〜［００２５］等）。
【発明の開示】
【発明が解決しようとする課題】
【０００７】
上述のような物品に関する温度管理システムでは、物品の温度情報（例えば、電子温度計から得られる温度情報）を電子的に記録する記録媒体を該物品に添付する必要がある。そのため、前記記録媒体の機能を前記物品に添付されたＩＣタグの記録部において実現する場合、該ＩＣタグの記録部は、温度情報を記録するために、追記可能でなければならない。さらに、ＩＣタグの記録部は、前記物品のＩＤ情報（即ち、物品を識別する識別子を含む情報）のみを格納する場合に比して大きな容量を備えざるを得ない。
【０００８】
以上のように、ＩＤ情報のみを格納するＩＣタグに比して高価なＩＣタグを使用せざるを得ず、ＩＣタグを付すべき対象の数に比例した数の高価なＩＣタグを使用するため、結果的に、安価な温度管理システムを提供できない。
【０００９】
また、高価なＩＣタグを輸送過程の最終段階で回収して使いまわす手立てを講じる場合でも、その手立てのためにコストと手間を必要とするため、結果的に、安価な温度管理システムを提供できない。
【００１０】
上述のようなシステムの他にも、物品を識別するＩＤ情報を記録したＩＣタグから該ＩＤ情報を読み取るＩＣタグリーダを備え、該ＩＣタグと温度などの物理状態を検知する検知材が添付された物品の物理変化（例えば、温度変化）を管理する物品管理システムを想定できる。
【００１１】
前記物品管理システムでは、検知材（例えば、示温材）の示す色を物理情報（例えば、温度情報）に変換する手段を有する。前記検知材の種別を、その都度、人の手によって指定しない限り、該検知材がいかなる物理情報を取得するかを指定できないため、検知材の色（または、色の変化）に基づいて物理情報への変換が正しくできない。
【００１２】
本発明は、前記課題に基づいてなされたものであって、物品に添付された検知材の種類に応じて検知材の色を物理情報に変換し、適切な物品管理を行う物品管理システム及び物品管理方法を提供することにある。
【課題を解決するための手段】
【００１３】
前記課題の解決を図るために、請求項１記載の発明は、物品を識別するＩＤ情報と該物品に応じた検知材の検知材種別情報を内部に存在する記録領域に記録するＩＣタグを有し、前記ＩＣタグにアクセスするＩＣタグアクセス手段を備え、前記ＩＣタグと検知材が添付された物品の物理変化を管理する物品管理システムであって、前記ＩＣタグアクセス手段によってＩＤ情報を読み取る手段と、前記ＩＣタグの内部に存在する記録領域から前記検知材種別情報を読み取る手段と、前記読み取った検知材種別情報に応じて、色を物理情報へ変換する物理情報変換手段を選択する手段と、前記検知材の示す色を測定する手段と、前記測定された検知材の示す色を前記選択された物理情報変換手段によって物理情報に変換する手段と、該物理情報と前記ＩＣタグアクセス手段によって読み取られたＩＤ情報を関連付けてＩＤ物理データを形成するＩＤ物理データ形成手段と、前記ＩＣタグの外部に存在する物理データ管理手段に対し該ＩＤ物理データを記録するＩＤ物理データ記録手段と、を備えることを特徴とする。
【００１４】
請求項２記載の発明は、請求項１記載の発明において、前記ＩＤ物理データ形成手段が、前記物理情報と前記ＩＤ情報と前記ＩＤ情報を読み取った場所の場所情報と前記ＩＤ情報を読み取った時刻の時刻情報とを関連付けたＩＤ物理データを形成する、ことを特徴とする。
【００１５】
請求項３記載の発明は、請求項１記載の発明において、前記ＩＤ物理データ形成手段が、前記物理情報と、前記ＩＤ情報と、前記ＩＤ情報を読み取った場所の場所情報，前記ＩＤ情報を読み取った時刻の時刻情報のうちいずれかと、を関連付けたＩＤ物理データを形成する、ことを特徴とする。
【００１６】
請求項４記載の発明は、請求項１乃至３のいずれかに記載の発明において、前記検知材が、前記物品に対して定められた物理管理条件から逸脱した場合に、色の変化を示し、該色の変化が不可逆である、ことを特徴とする。
【００１７】
請求項５記載の発明は、請求項１乃至４のいずれかに記載の発明において、前記ＩＣタグと前記検知材とが一体に形成されている、ことを特徴とする。
【００１８】
請求項６記載の発明は、物品を識別するＩＤ情報と該物品に応じた検知材の検知材種別情報を内部に存在する記録領域に記録するＩＣタグを有し、前記ＩＣタグの内部の情報にアクセスするＩＣタグアクセス手段と、前記検知材の示す色を測定する測定手段と、測定された色を物理情報へ変換する物理情報変換手段と、前記ＩＣタグの外部に存在し、情報を格納し管理する物理データ管理手段と、を備え、前記ＩＣタグと検知材が添付された物品の物理変化を管理するシステムに適用する物品管理方法であって、前記ＩＣタグアクセス手段によってＩＤ情報を読み取るステップと、前記ＩＣタグの内部に存在する記録領域から前記検知材種別情報を、前記ＩＣタグアクセス手段を用いて読み取るステップと、前記読み取った検知材種別情報に応じて、前記物理情報変換手段を選択するステップと、前記検知材の示す色を前記測定手段を用いて測定するステップと、前記測定された検知材の示す色を前記選択された物理情報変換手段によって物理情報に変換するステップと、該物理情報と前記ＩＣタグアクセス手段によって読み取られたＩＤ情報を関連付けてＩＤ物理データを形成するＩＤ物理データ形成ステップと、前記物理データ管理手段に対し該ＩＤ物理データを記録するＩＤ物理データ記録ステップと、を有することを特徴とする。
【００１９】
請求項７記載の発明は、請求項６記載の発明において、前記ＩＤ情報を読み取った際の時刻情報を予め備えられた時刻取得手段から取得するステップと、前記ＩＤ情報を読み取った際の場所情報を予め備えられた場所取得手段から取得するステップと、を有し、前記ＩＤ物理データ形成ステップが、前記物理情報と前記ＩＤ情報と前記場所情報と前記時刻情報とを関連付けたＩＤ物理データを形成する、ことを特徴とする。
【００２０】
請求項８記載の発明は、請求項６記載の発明において、前記ＩＤ情報を読み取った際の時刻情報を予め備えられた時刻取得手段から取得するステップと、前記ＩＤ情報を読み取った際の場所情報を予め備えられた場所取得手段から取得するステップと、を有し、前記ＩＤ物理データ形成ステップが、前記物理情報と、前記ＩＤ情報と、前記場所情報，時刻情報のうちいずれかと、を関連付けたＩＤ物理データを形成する、ことを特徴とする。
【００２１】
請求項９記載の発明は、請求項６乃至８のいずれかに記載の発明において、前記検知材に、前記物品に対して定められた物理管理条件から逸脱した場合に、色の変化を示し、該色の変化が不可逆である検知材を採用する、ことを特徴とする。
【００２２】
請求項１０記載の発明は、請求項６乃至９のいずれかに記載の発明において、前記ＩＣタグと前記検知材とを一体に形成したタグを添付した物品を管理対象とする、ことを特徴とする。
【００２３】
前記請求項１，６の発明によれば、測定された色から物理情報への変換を検知材に合わせて実行できる。
【００２４】
前記請求項２，７の発明によれば、前記物理情報と前記ＩＤ情報に前記ＩＤ情報を読み取った場所と時刻とを関連付けたデータを外部の物品データ管理手段に記録できる。
【００２５】
前記請求項３，８の発明によれば、前記物理情報と前記ＩＤ情報に前記ＩＤ情報を読み取った場所または時刻を関連付けたデータを外部の物品データ管理手段に記録できる。
【００２６】
前記請求項４，９の発明によれば、検知材の色の変化の結果を維持できる。
【００２７】
前記請求項５，１０の発明によれば、物品に前記ＩＣタグと前記検知材を同時に添付できる。
【発明の効果】
【００２８】
以上示したように請求項１，６の発明によれば、前記検知材に基づいて物理情報を適切に取得できる。
【００２９】
請求項２，７の発明によれば、ＩＣタグの位置（即ち、物品の位置）に関わらず、該物品に関する場所と時刻を取得できる。即ち、特定のＩＤを有する特定の物品について、簡便で確実に、時刻と場所と物理情報を関連付けた管理が可能になる。
【００３０】
請求項３，８の発明によれば、ＩＣタグの位置（即ち、物品の位置）に関わらず、該物品に関する場所または時刻を取得できる。即ち、特定のＩＤを持つ特定の物品について、簡便で確実に、時刻、場所のいずれかと物理情報を関連付けた管理が可能になる。
【００３１】
請求項４，９の発明によれば、前記検知材が、前記物品に対して定められた物理管理条件から逸脱した場合に、色の変化を示すことができる。また、前記色の変化が不可逆であるため、物理管理条件からの逸脱の後においても、色の変化を確実に知ることができる。
【００３２】
請求項５，１０の発明によれば、前記ＩＣタグと前記検知材とが一体に形成されるため、特定のＩＤを持つ特定の物品について、物理情報の管理が簡便で確実にできる。
【００３３】
これらを以って物品管理サービス分野に貢献できる。
【発明を実施するための最良の形態】
【００３４】
以下、本実施形態における物品管理システムの構成を図１に基づいて説明する。
【００３５】
図１における物品管理システムのシステム構成は、管理対象である物品１の物理変化を検知する検知材（物理変化を検知し変色して表す部材；別称はインジケータ）が塗布されたＩＣタグ１０１，ＩＣタグアクセス手段であってＩＣタグ１０１から情報を読取る（またはＩＣタグ１０１に情報を格納する）ＩＣタグリーダライタ２，色を測定する色彩計３，ＩＣタグリーダライタ２と色彩計３が接続された汎用的な計算機（例えば、パーソナルコンピュータ）４，計算機４に格納された色と物理的な変化（例えば、温度変化，湿度変化，紫外線変化）の対応関係を示す対応表群４０１，計算機４が接続されたネットワーク５，ネットワーク５に接続された物品管理センタ６，物品管理センタ６に備えられた物品データ管理手段（例えば、物品管理データベース）６０１から構成される。
【００３６】
なお、以下では、検知材として示温材、物理的な変化として温度変化をそれぞれ採用して説明する。また、示温材と検知材を区別することもあるが、以下の説明では、示温材も検知材の一種として扱う。ＩＣタグ１０１は、図示省略されているが、情報（例えば、ＩＤ情報）を格納するための記憶領域を有する記憶装置（例えば、不揮発性メモリ），無線で情報を入出力するインタフェース装置を備える。ＩＣタグ１０１には、ＩＤ情報と塗布された検知材種別情報（例えば、示温材，湿度検知材，紫外線検知材などの種別を識別する情報など）が予め記憶されているものとする。対応表群４０１は、色と温度変化の対応表Ｔを有する。計算機４は、計算機４内で扱われる情報を格納し管理する記憶部（例えば、メモリやハードディスク装置），時計装置，該時計装置から時刻を取得する時刻取得手段を備える。また、前記物品管理システムでは、ＩＣタグと前記検知材とを一体に形成したタグを用いても良い。
【００３７】
図１中の物品１に、物品１のＩＤ情報が記録されているＩＣタグ１０１が貼付してある。なお、ＩＣタグは、ＲＦＩＤ（Ｒａｄｉｏ  Ｆｒｅｑｕｅｎｃｙ  Ｉｄｅｎｔｉｆｉｃａｔｉｏｎ）、ＲＦ（Ｒａｄｉｏ  Ｆｒｅｑｕｅｎｃｙ）タグ、電子タグとも呼ばれる。図１中のＩＣタグ１０１はシート状であり、表面に検知材として示温材が塗布してあるものとする。また、剥がされないように、ＩＣタグに示温材が含まれるシールが貼付してある実施形態でも無論構わない。
【００３８】
その示温材は、温度によって異なる色を呈する材料であって、サーモクロミック材料などとも呼ばれ、日本国内においても、いくつかのメーカから市販されており、商品形態も、適用できる温度範囲も様々である。本実施形態におけるＩＣタグ１０１に塗布された示温材は、少なくとも、物品１の保管すべき温度範囲と、該温度範囲を逸脱した温度範囲とで、異なる色を呈する必要がある。
【００３９】
本実施形態において、物品１の温度が、物品１の保管すべき温度範囲（即ち、物理量的範囲、あるいは、物理管理条件）から逸脱した温度範囲に移行した場合、ＩＣタグ１０１に塗布された示温材の色は変化するが、該変化は不可逆であるものとする。すなわち、一旦、物品１の保管すべき温度範囲から逸脱した場合、その後、物品１の保管すべき温度範囲に復帰した場合でも、ＩＣタグ１０１に塗布された示温材の色は、物品１の保管すべき温度範囲を示す色に復帰しない。そのため、色の変化が不可逆な示温材は、その色の変化の結果を維持できる。
【００４０】
本実施形態では、ＩＣタグ１０１に記録されているＩＤ情報をＩＣタグリーダライタ２によって読み取り、同時に、ＩＣタグ１０１内部の記録領域に記録してある検知材の種別についての情報（即ち、検知材種別情報）を読み取る。計算機４において、その読み取った検知材種別情報に応じて、色と物理情報の変化の対応関係を示す対応表群４０１のうちから、本実施形態における示温材における色と温度変化の対応関係を示す対応表Ｔを選択する。即ち、色から物理情報に変換する物理情報変換手段を選択することになる。さらに、ＩＣタグ１０１に塗布された示温材の色を、色彩計３によって測定する。
【００４１】
なお、他に、色彩計の代わりに分光測色計と呼ばれる測定器を用いても無論構わない。色彩計や分光測色計は、照明光源と受光器を備え、照明光源からの光を物質に照射し反射光を測定し、該物質の色を測定する機器であり、日本国内においても、いくつかのメーカから市販されている。
【００４２】
本実施形態において、色彩計３によって測定されたＩＣタグ１０１に塗布された示温材の色に関する情報は、計算機４によって、色と温度の対応関係を示す対応表群４０１中の対応表Ｔを参照して、前記示温材の呈する色が示す温度に関する情報（温度情報）に変換され、ＩＣタグリーダライタ２によって読み取られたＩＤ情報、該ＩＤ情報を読み取った際の時刻情報（または、色を測定した（或いは、測定を開始した）際の測定時刻情報）とともにＩＤ物理データとして記録される。
【００４３】
なお、時刻情報は、例えば、図１中の計算機４に予め備えられた時計装置を含む時刻取得手段から取得する。少なくとも、読み取られたＩＤ情報，温度情報などの物理的な情報を含み、それらを関連付けたデータをＩＤ物理データという。
【００４４】
前記ＩＤ情報、時刻情報、温度情報を含むＩＤ物理データは、計算機４に長期間記録されていてもよいが、図１中のように、ネットワーク５を介して、外部の物品管理センタ６にある物品管理データベース６０１に記録されても良い。
【００４５】
また、示温材における色と温度変化の対応関係を示す対応表Ｔを含む、色と物理情報の変化の対応関係を示す対応表群４０１は、計算機４自体に実装されていてもよいし、計算機４が接続可能な外部のデータベースに保存されていてもよい。
【００４６】
ここで、物品に添付された示温材の呈する色から温度情報に変換する方法を説明する。なお、以下の説明において、図１中の符号と同じ符号のものの説明は省略する。
【００４７】
色彩計３によって色を測定する方法は、物品１に添付されたＩＣタグ１０１の示温材に光を照射し、該示温材から反射した光について、人の眼がもつ赤色，緑色，青色に対する感度に近いカラーフィルタを介して三刺激値を光電的に直読する方法である。
【００４８】
まず、読み取られた色情報である赤色，緑色，青色に対応する三刺激値は数値として計算機４にいったん記録される。計算機４は、色情報（すなわち、赤色，緑色，青色に対応する三刺激値）と温度との対応関係を示す対応曲線（または対応表）データ（例えば、対応表Ｔ）を有しているものとする。
【００４９】
そして、読み取られた色情報である赤色，緑色，青色に対応する三刺激値の数値を、前記対応曲線（または対応表）を用いて、温度情報に変換する。
【００５０】
なお、前記対応曲線（または対応表）に記してある温度と完全に合致しない中間的な温度の値については、前記対応曲線（または対応表）に記してある前後の温度から補間することによって、より近い温度の値を得ることが出来る。
【００５１】
さらに、温度管理の必要な物品１に添付されたＩＣタグ１０１に記録されたＩＤ情報と、該物品１に添付されたＩＣタグ１０１の示温材の示す色から変換されて得られた温度情報とを関連付ける方法を以下に説明する。
【００５２】
なお、ＩＣタグリーダライタ２が前記ＩＤ情報を読み取った時点で、同時点からある一定の時間、該ＩＣタグリーダライタ２が該ＩＤ情報を再度読み取ったとしても、物品１は１つと数えられるものとする。また、ある一定の時間とは、該物品１の次に異なる物品が届くまでの間の時間より短い時間を設定する。
【００５３】
前記ＩＣタグリーダライタ２が前記ＩＤ情報を読み取った時点を起点にして、その後、該ＩＤ情報は計算機４に到達し記録され、次いで、該計算機４は、接続された色彩計３による該物品に添付された示温材の示す色の測定を開始させる。
【００５４】
前記色彩計３によって読み取った色情報である赤色，緑色，青色に対応する三刺激値の数値を、計算機４は温度情報に変換し、既に記録された前記ＩＤ情報と該温度情報をセットにしたデータ（即ち、ＩＤ物理データ）を生成する。
【００５５】
以上のように、温度管理の必要な物品に添付されたＩＣタグに記録されたＩＤ情報と、該物品に添付された示温材の示す色から変換されて得られた温度情報とを関連付けることができる。
【００５６】
なお、ＩＤ情報と温度情報とを関連付けたデータ（即ち、ＩＤ物理データ）に付加する情報としては、次のようなものが考えられる。
【００５７】
ＩＤ物理データに対し、ＩＤ情報を読み取った場所、該場所における作業内容や作業担当者についての情報を、図１における計算機４に記憶させ、該ＩＤ情報を読み取った場所、該場所における作業内容、作業担当者についての情報の全部あるいは一部を付加してもよい。
【００５８】
なお、ＩＤ情報を読み取った場所、該場所における作業内容についての情報を該ＩＤ物理データに付加する方法としては、例えば、図１における物品１のＩＤ情報を場所情報（例えば、ＩＣタグリーダライタ２によって読み取る場所に関する情報や示温材の示す色を測定した測定場所情報）及び該場所における作業内容に関する情報を、予め、計算機４に記憶させておき、前記ＩＤ情報を読み取った直後に、計算機４に予め備えられた場所管理手段（例えば、記憶領域に記憶された場所情報を管理する手段）から場所情報を取得する場所取得手段などを用いて場所情報などを取得し、ＩＤ物理データに付加する方法がある。
【００５９】
また、作業担当者についての情報を該ＩＤ物理データに付加する方法としては、例えば、該作業担当者が、図１における計算機４を用いた作業を開始するにあたって、該作業担当者の名前やＩＤといった作業担当者についての情報を計算機４に入力しておく。そして、前記物品１のＩＤ情報を読み取った直後に、ＩＤ物理データに付加する方法がある。
【００６０】
例えば、計算機４に備えられ、ＩＤ情報を読み取った場所や該場所における作業内容や作業担当者についての情報を入力する手段（キーボード装置、ディスプレイ装置など）によって入力された情報（即ち、場所（場所情報）や作業内容に関する情報）を計算機４に予め備えられた記憶部に記憶させても良い。即ち、計算機４は場所管理手段を有することになる。
【００６１】
本実施形態における処理の流れを図２に基づいて説明する。なお、以下の説明で、図１中の符号と同じ符号のものの説明は省略する。
【００６２】
まず、作業担当者Ｕは、場所、作業内容、作業担当者についての情報を計算機４に入力することから作業を始める（Ｍ１０１，Ｓ１０１）。
【００６３】
次に、ＩＣタグリーダライタ２を物品に貼付されたタグにかざすことでＩＤ情報を読み取る（Ｍ１０２，Ｓ１０２）。
【００６４】
次に、計算機４において、計算機４に予め備えられた時刻取得手段から時刻を取得し、該時刻を読取り時刻（時刻情報）と見做し、該読取り時刻と共にＩＤ情報を記録する（Ｓ１０３）。
【００６５】
次に、計算機４は、ＩＣタグリーダライタ２を介して、ＩＣタグ内部の記録領域から検知材の種別についての情報を読み取る（Ｍ１０３，Ｓ１０４）。
【００６６】
次に、計算機４は、色と物理情報の変化の対応関係を示す対応表群４０１のうちから、該検知材の種別に対応する対応表（例えば、対応表Ｔ）を選択する（Ｓ１０５）。
【００６７】
次に、計算機４は、色彩計３による測定開始を指示し（Ｍ１０４）、色彩計３によって測定され（Ｓ１０６）、その測定された色情報を取得する（Ｍ１０５）。
【００６８】
次に、計算機４は、前記測定された色情報を、前記選択された対応表に基づいて物理情報に変換する（Ｓ１０７）。
【００６９】
そして、計算機４は、ＩＤ情報，物理情報，読取り時刻，場所，作業内容，作業担当者をセットにしてデータを生成し保存する（Ｓ１０８）。
【００７０】
以上のようにＩＤ情報，物理情報，読取り時刻，場所，作業内容，作業担当者に基づいた物品管理に役立てることができる。
【００７１】
以上、本発明の実施形態について説明したが、本発明は説明した実施形態に限定されるものでなく、各請求項に記載した範囲において各種の変形を行うことが可能である。
【００７２】
例えば、本実施形態の変形例として、複数の検知材が物品に添付され、それらの検知材種別などの検知材情報をＩＣタグに書き込んでおけば、複数の検知材に対して測定し、各々の検知材に対する物理情報を取得できる。
【００７３】
また、本実施形態における物品管理システムでは、上述の色彩計は可視光線による色を測定するが、検知材種別を読み出すことによって、不可視光線によって色を測定する色彩計に自動的に切り替える切替手段を備えることもできる。
【図面の簡単な説明】
【００７４】
【図１】本実施形態における物品管理システムの構成図。
【図２】本実施形態における物品管理の流れ図。
【符号の説明】
【００７５】
１…物品
１０１…示温材が塗布されたＩＣタグ
２…ＩＣタグリーダライタ
３…色彩計
４…計算機
４０１…色と物理的な変化の対応関係を示す対応表群
５…ネットワーク
６…物品管理センタ
６０１…物品管理データベース
Ｔ…色と温度変化の対応関係を示す対応表群
Ｕ…作業担当者
【図１】
2008156098.tif 000003
【図２】
2008156098.tif 000004